(57)【要約】      （修正有）【課題】高速炉デブリベッド冷却の冷却性評価モデルに対応する計算結果を短時間で得る。【解決手段】コアキャッチャーに堆積した粒子状の燃料デブリの冷却性の解析に使用される複数の入力項目のそれぞれの入力データの組み合わせであるデータセットを第１の個数生成し、第１の個数のデータセットのそれぞれに基づいて、燃料デブリの冷却性の解析を行うことにより、燃料デブリの冷却性の評価結果を取得し、第１の個数の前記データセットのそれぞれと、当該データセットに対応する前記評価結果との組み合わせを教師データとし、当該教師データに基づいて機械学習を行うことにより、データセットの入力に対して評価結果を出力する解析モデルを生成し、任意のデータセットを解析モデルに入力し、当該データセットに対応する評価結果を解析モデルから取得する。【選択図】図３
2020071156.tif 000002
【特許請求の範囲】
【請求項１】
コンピュータが実行する、
高速炉において、原子炉容器内に設けられたコアキャッチャーに堆積した粒子状の燃料デブリの冷却性の解析に使用される複数の入力項目のそれぞれの入力データの組み合わせであるデータセットを第１の個数生成する第１データセット生成ステップと、
前記第１の個数の前記データセットのそれぞれに基づいて、前記燃料デブリの冷却性の解析を行うことにより、前記燃料デブリの冷却性の評価結果を取得する解析ステップと、
前記第１の個数の前記データセットのそれぞれと、当該データセットに対応する前記評価結果との組み合わせを教師データとし、当該教師データに基づいて機械学習を行うことにより、前記データセットの入力に対して前記評価結果を出力する解析モデルを生成するモデル生成ステップと、
任意の前記データセットを前記解析モデルに入力し、当該データセットに対応する前記評価結果を前記解析モデルから取得する評価結果取得ステップと、
を備える高速炉デブリベッド冷却の解析方法。
【請求項２】
前記データセットを前記第１の個数よりも多い第２の個数生成する第２データセット生成ステップをさらに有し、
前記評価結果取得ステップにおいて、前記第２の個数の前記データセットのそれぞれを前記解析モデルに入力し、当該データセットに対応する前記評価結果を前記解析モデルから取得する、
請求項１に記載の高速炉デブリベッド冷却の解析方法。
【請求項３】
第１データセット生成ステップにおいて、前記複数のデータセットに含まれる前記入力項目の値が、当該入力項目が取り得る値の範囲において、一様分布となるように前記複数のデータセットを生成する、
請求項１又は２に記載の高速炉デブリベッド冷却の解析方法。
【請求項４】
前記評価結果取得ステップにおいて取得された前記燃料デブリの冷却性の評価結果に基づいて、異なる評価結果となる境界を含む境界領域を特定する境界領域特定ステップと、
特定された前記境界領域において、前記第１データセット生成ステップにおけるデータセットの生成密度よりも高い密度でデータセットを生成する第３データセット生成ステップと、
をさらに有し、
前記解析ステップにおいて、前記第３データセット生成ステップにおいて生成された前記データセットに基づいて、前記燃料デブリの冷却性の解析を行うことにより、前記燃料デブリの冷却性の評価結果を取得し、
前記モデル生成ステップにおいて、前記第３データセット生成ステップにおいて生成されたデータセットと、当該データセットに対応する前記評価結果との組み合わせを教師データとし、当該教師データに基づいて機械学習を行うことにより前記解析モデルを修正し、
前記評価結果取得ステップにおいて、前記第１の個数よりも多い第２の個数の前記データセットのそれぞれを修正後の前記解析モデルに入力し、当該データセットに対応する前記評価結果を前記解析モデルから取得する、
請求項１から３のいずれか１項に記載の高速炉デブリベッド冷却の解析方法。
【請求項５】
前記解析モデルは、所定の層数及びノード数のニューラルネットワークに基づいて生成されるモデルであり、
前記評価結果取得ステップにおいて取得された前記燃料デブリの冷却性の評価結果に基づいて、異なる評価結果となる境界を含む境界領域を特定する境界領域特定ステップと、
特定された前記境界領域において、前記第１データセット生成ステップにおけるデータセットの生成密度よりも高い密度でデータセットを生成する第３データセット生成ステップと、
をさらに有し、
前記解析ステップにおいて、前記第３データセット生成ステップにおいて生成された前記データセットに基づいて、前記燃料デブリの冷却性の解析を行うことにより、前記燃料デブリの冷却性の評価結果を取得し、
前記モデル生成ステップにおいて、前記第３データセット生成ステップにおいて生成されたデータセットと、当該データセットに対応する前記評価結果との組み合わせを教師データとし、当該教師データに基づいて前記解析モデルよりも前記ニューラルネットワークにおける層数及びノード数の少なくともいずれかを多くした機械学習を行うことにより第２解析モデルを生成し、
前記評価結果取得ステップにおいて、前記第１の個数よりも多い第２の個数の前記データセットのそれぞれを前記第２解析モデルに入力し、当該データセットに対応する前記評価結果を前記解析モデルから取得する、
請求項１から３のいずれか１項に記載の高速炉デブリベッド冷却の解析方法。
【請求項６】
前記解析ステップにおいて取得された前記燃料デブリの冷却性の評価結果に基づいて、異なる評価結果となる境界を含む境界領域を特定する境界領域特定ステップと、
特定された前記境界領域において、前記第１データセット生成ステップにおけるデータセットの生成密度よりも高い密度でデータセットを生成する第３データセット生成ステップと、
をさらに有し、
前記解析ステップにおいて、前記第３データセット生成ステップにおいて生成された前記データセットに基づいて、前記燃料デブリの冷却性の解析を行うことにより、前記燃料デブリの冷却性の評価結果を取得し、
前記モデル生成ステップにおいて、前記第１の個数の前記データセットのそれぞれと、当該データセットに対応する前記評価結果との組み合わせを教師データとするとともに、前記第３データセット生成ステップにおいて生成されたデータセットと、当該データセットに対応する前記評価結果との組み合わせを教師データとし、当該教師データに基づいて機械学習を行うことにより前記解析モデルを生成する、
請求項１から３のいずれか１項に記載の高速炉デブリベッド冷却の解析方法。
【請求項７】
コンピュータを、
高速炉において、原子炉容器内に設けられたコアキャッチャーに堆積した粒子状の燃料デブリの冷却性の解析に使用される複数の入力項目のそれぞれの入力データの組み合わせであるデータセットを第１の個数生成する第１データセット生成部、
前記第１の個数の前記データセットのそれぞれに基づいて、前記燃料デブリの冷却性の解析を行うことにより、前記燃料デブリの冷却性の評価結果を取得する解析部、
前記第１の個数の前記データセットのそれぞれと、当該データセットに対応する前記評価結果との組み合わせを教師データとし、当該教師データに基づいて機械学習を行うことにより、前記データセットの入力に対して前記評価結果を出力する解析モデルを生成するモデル生成部、及び、
任意の前記データセットを前記解析モデルに入力し、当該データセットに対応する前記評価結果を前記解析モデルから取得する評価結果取得部、
として機能させる高速炉デブリベッド冷却の解析プログラム。
【発明の詳細な説明】
【技術分野】
【０００１】
本発明は、高速炉デブリベッド冷却の解析方法及び解析プログラムに関する。
【背景技術】
【０００２】
次世代ナトリウム冷却高速炉においては、炉心損傷事象の原子炉容器内終息を目標とした設計がなされている。図１は、炉心損傷事象に伴い発生した燃料デブリが原子炉容器下部プレナムに設置されたコアキャッチャー上に堆積した状態を説明する図である。炉心損傷事象に伴い発生した溶融燃料は、炉心領域外に排出され、冷却材との相互作用により分散・微粒化する。そして、溶融燃料は、図１に示すように、最終的に下部プレナムに設置されたコアキャッチャー１０１にベッド状に堆積したデブリベッド１０２となる。デブリベッドは、主に数百μｍの粒子で形成され、崩壊熱により発熱する。原子炉容器内終息の達成のためには、デブリベッドを長期間安定に冷却する必要があり、冷却性を評価することが設計上重要となる。
【０００３】
冷却性評価モデルとしては、下記式（１）に示すデブリベッドの等価熱伝導度ｋｅｑを用いた非定常熱伝導方程式を解く冷却性評価モデルが知られている（例えば、非特許文献１参照）。冷却性評価モデルに、デブリベッドの冷却性に影響を与えるパラメータに対応する各種の入力項目の値を入力することにより、冷却性が評価される。
【数１】
2020071156.tif 000003
【先行技術文献】
【非特許文献】
【０００４】
【非特許文献１】Nakamura, H. et al., “A Method to Calculate Boiling and Dryout in Debris Bed Using a Heat Conduction Code”, in Proceedings of International Topical Meeting on Fast Reactor Safety, Knoxville, Tennessee, U.S.A..1985
【発明の概要】
【発明が解決しようとする課題】
【０００５】
冷却性評価モデルに用いられる入力項目の値は、炉心損傷の事象推移及び設計時の各種の選択内容に起因して、最適値を特定することが難しいことから、入力項目の値を変更しながら多数の計算を実施し、冷却性の傾向を把握することが望ましい。しかしながら、非定常熱伝導方程式を解く冷却性評価モデルを用いて大量の計算を行うには多大な時間がかかるため、実行可能な計算回数が制限される。
【０００６】
したがって、従来の冷却性評価モデルを用いた冷却性の評価では、設計者は、第一段階として、ある限定された入力値から当該モデルを用いて離散的な計算結果を得て、それらを参考に、次の段階で得るべき計算結果を推定する。そして、設計者は、第二段階として、入力値を決めて再計算を行う。設計者は、第一段階及び第二段階の作業を繰り返し行う必要がある。また、計算結果の推定は熟練者でも困難であることから、適切な評価結果を得るために必要となる繰り返し作業の回数の見通しも立ちにくいといった課題もある。そこで、計算結果を短時間で得ることが求められている。
【０００７】
そこで、本発明はこれらの点に鑑みてなされたものであり、冷却性評価モデルに対応する計算結果を短時間で得ることができる高速炉デブリベッド冷却の解析方法及び解析プログラムを提供することを目的とする。
【課題を解決するための手段】
【０００８】
本発明の第１の態様に係る高速炉デブリベッド冷却の解析方法は、コンピュータが実行する、高速炉において、原子炉容器内に設けられたコアキャッチャーに堆積した粒子状の燃料デブリの冷却性の解析に使用される複数の入力項目のそれぞれの入力データの組み合わせであるデータセットを第１の個数生成する第１データセット生成ステップと、前記第１の個数の前記データセットのそれぞれに基づいて、前記燃料デブリの冷却性の解析を行うことにより、前記燃料デブリの冷却性の評価結果を取得する解析ステップと、前記第１の個数の前記データセットのそれぞれと、当該データセットに対応する前記評価結果との組み合わせを教師データとし、当該教師データに基づいて機械学習を行うことにより、前記データセットの入力に対して前記評価結果を出力する解析モデルを生成するモデル生成ステップと、任意の前記データセットを前記解析モデルに入力し、当該データセットに対応する前記評価結果を前記解析モデルから取得する評価結果取得ステップと、を備える。
【０００９】
前記データセットを前記第１の個数よりも多い第２の個数生成する第２データセット生成ステップをさらに有し、前記評価結果取得ステップにおいて、前記第２の個数の前記データセットのそれぞれを前記解析モデルに入力し、当該データセットに対応する前記評価結果を前記解析モデルから取得してもよい。
【００１０】
第１データセット生成ステップにおいて、前記複数のデータセットに含まれる前記入力項目の値が、当該入力項目が取り得る値の範囲において、一様分布となるように前記複数のデータセットを生成してもよい。
【００１１】
前記高速炉デブリベッド冷却の解析方法は、前記評価結果取得ステップにおいて取得された前記燃料デブリの冷却性の評価結果に基づいて、異なる評価結果となる境界を含む境界領域を特定する境界領域特定ステップと、特定された前記境界領域において、前記第１データセット生成ステップにおけるデータセットの生成密度よりも高い密度でデータセットを生成する第３データセット生成ステップと、をさらに有し、前記解析ステップにおいて、前記第３データセット生成ステップにおいて生成された前記データセットに基づいて、前記燃料デブリの冷却性の解析を行うことにより、前記燃料デブリの冷却性の評価結果を取得し、前記モデル生成ステップにおいて、前記第３データセット生成ステップにおいて生成されたデータセットと、当該データセットに対応する前記評価結果との組み合わせを教師データとし、当該教師データに基づいて機械学習を行うことにより前記解析モデルを修正し、前記評価結果取得ステップにおいて、前記第１の個数よりも多い第２の個数の前記データセットのそれぞれを修正後の前記解析モデルに入力し、当該データセットに対応する前記評価結果を前記解析モデルから取得してもよい。
【００１２】
前記解析モデルは、所定の層数及びノード数のニューラルネットワークに基づいて生成されるモデルであり、前記高速炉デブリベッド冷却の解析方法は、前記評価結果取得ステップにおいて取得された前記燃料デブリの冷却性の評価結果に基づいて、異なる評価結果となる境界を含む境界領域を特定する境界領域特定ステップと、特定された前記境界領域において、前記第１データセット生成ステップにおけるデータセットの生成密度よりも高い密度でデータセットを生成する第３データセット生成ステップと、をさらに有し、前記解析ステップにおいて、前記第３データセット生成ステップにおいて生成された前記データセットに基づいて、前記燃料デブリの冷却性の解析を行うことにより、前記燃料デブリの冷却性の評価結果を取得し、前記モデル生成ステップにおいて、前記第３データセット生成ステップにおいて生成されたデータセットと、当該データセットに対応する前記評価結果との組み合わせを教師データとし、当該教師データに基づいて前記解析モデルよりも前記ニューラルネットワークにおける層数及びノード数の少なくともいずれかを多くした機械学習を行うことにより第２解析モデルを生成し、前記評価結果取得ステップにおいて、前記第１の個数よりも多い第２の個数の前記データセットのそれぞれを前記第２解析モデルに入力し、当該データセットに対応する前記評価結果を前記解析モデルから取得してもよい。
【００１３】
前記高速炉デブリベッド冷却の解析方法は、前記解析ステップにおいて取得された前記燃料デブリの冷却性の評価結果に基づいて、異なる評価結果となる境界を含む境界領域を特定する境界領域特定ステップと、特定された前記境界領域において、前記第１データセット生成ステップにおけるデータセットの生成密度よりも高い密度でデータセットを生成する第３データセット生成ステップと、をさらに有し、前記解析ステップにおいて、前記第３データセット生成ステップにおいて生成された前記データセットに基づいて、前記燃料デブリの冷却性の解析を行うことにより、前記燃料デブリの冷却性の評価結果を取得し、前記モデル生成ステップにおいて、前記第１の個数の前記データセットのそれぞれと、当該データセットに対応する前記評価結果との組み合わせを教師データとするとともに、前記第３データセット生成ステップにおいて生成されたデータセットと、当該データセットに対応する前記評価結果との組み合わせを教師データとし、当該教師データに基づいて機械学習を行うことにより前記解析モデルを生成してもよい。
【００１４】
本発明の第２の態様に係る高速炉デブリベッド冷却の解析プログラムは、コンピュータを、高速炉において、原子炉容器内に設けられたコアキャッチャーに堆積した粒子状の燃料デブリの冷却性の解析に使用される複数の入力項目のそれぞれの入力データの組み合わせであるデータセットを第１の個数生成する第１データセット生成部、前記第１の個数の前記データセットのそれぞれに基づいて、前記燃料デブリの冷却性の解析を行うことにより、前記燃料デブリの冷却性の評価結果を取得する解析部、前記第１の個数の前記データセットのそれぞれと、当該データセットに対応する前記評価結果との組み合わせを教師データとし、当該教師データに基づいて機械学習を行うことにより、前記データセットの入力に対して前記評価結果を出力する解析モデルを生成するモデル生成部、及び、任意の前記データセットを前記解析モデルに入力し、当該データセットに対応する前記評価結果を前記解析モデルから取得する評価結果取得部、として機能させる。
【発明の効果】
【００１５】
本発明によれば、冷却性評価モデルに対応する計算結果を短時間で得ることができるという効果を奏する。
【図面の簡単な説明】
【００１６】
【図１】炉心損傷事象に伴い発生した燃料デブリが原子炉容器下部プレナムに設置されたコアキャッチャー上に堆積した状態を説明する図である。
【図２】従来の高速炉デブリベッド冷却の解析手法を説明するための図である。
【図３】第１実施形態に係る高速炉デブリベッド冷却の解析手法を説明するための図である。
【図４】第１実施形態に係る高速炉デブリベッド冷却の解析装置の構成を示す図である。
【図５】第１実施形態に係る解析部が非定常熱伝導方程式を解く場合に用いるデブリベッドの沸騰領域における模擬的な等価熱伝導度を示す図である。
【図６】従来の手法による冷却性の評価結果と、第１実施形態に係る解析モデルによる冷却性の評価結果との比較結果を示す図である。
【図７】第１実施形態に係る解析モデルを用いて取得した冷却性の評価結果に基づいて、３つの入力項目と、冷却性の評価結果との関係を示す三次元マップを作成した例を示す図である。
【図８】第２実施形態に係る解析装置の構成を示す図である。
【図９】第３実施形態に係る解析装置の構成を示す図である。
【発明を実施するための形態】
【００１７】
［高速炉デブリベッド冷却の解析装置の概要］
図１に示すように、原子炉容器１００の下部プレナムには、炉心損傷事象に伴い発生した燃料デブリを受け止めるコアキャッチャー１０１が設けられている。炉心損傷事象に伴い発生した溶融燃料は、炉心領域外に排出され、冷却材との相互作用により分散・微粒化する。そして、溶融燃料は、最終的にはコアキャッチャー１０１にベッド状に堆積したデブリベッド１０２となる。
【００１８】
第１実施形態に係る高速炉デブリベッド冷却の解析装置を説明するにあたり、まず、従来の高速炉デブリベッド冷却の解析手法について説明する。図２は、従来の高速炉デブリベッド冷却の解析手法を説明するための図である。
【００１９】
図２に示すように、従来の高速炉デブリベッド冷却の解析手法では、冷却性の解析に使用される複数の入力値のデータセットを受け付け、当該データセットに基づいて解析条件を設定し、当該条件の下で非定常熱伝導方程式を解くことにより、冷却性を評価する。図２では、上部冷却材温度と、下部冷却材温度と、冷却性の判定結果との関係を評価する。従来の高速炉デブリベッド冷却の解析手法では、非定常熱伝導方程式の計算に時間がかかることから、計算回数が制限され、その結果、冷却性の評価結果についても荒い評価結果となってしまう。
【００２０】
これに対し、第１実施形態に係る高速炉デブリベッド冷却の解析装置１は、機械学習を利用することにより、非定常熱伝導方程式に使用される入力値のデータセットが入力されると冷却性の評価結果を出力する解析モデルを生成し、当該解析モデルに基づいて当該データセットに対応する評価結果を取得する。高速炉デブリベッド冷却の解析装置１は、例えば、コンピュータである。以下の説明において、高速炉デブリベッド冷却の解析装置１を、単に解析装置１という。
【００２１】
図３は、第１実施形態に係る高速炉デブリベッド冷却の解析手法を説明するための図である。図３に示すように、解析装置１は、まず、冷却性の解析に使用される複数の入力値のデータセットを第１の個数生成し、各データセットに基づいて解析条件を設定し、当該条件の下で非定常熱伝導方程式を解くことにより、各データセットに対応する冷却性の評価結果を取得する。
【００２２】
続いて、解析装置１は、各データセットと、当該データセットに対応する評価結果との組み合わせを教師データとして、データセットの入力に対して評価結果を出力する解析モデルを生成する。続いて、解析装置１は、任意のデータセットのそれぞれを解析モデルに入力し、当該データセットに対応する評価結果を解析モデルから取得する。本実施形態において、解析装置１は、第１の個数よりも多い第２の個数のデータセットのそれぞれを解析モデルにこれらのデータセットに対応する評価結果を解析モデルから取得する。
【００２３】
解析モデルは、非定常熱伝導方程式を解くことによりデータセットに対応する冷却性の評価結果を取得する場合に比べて、評価結果を短時間で出力することができる。したがって、解析装置１は、解析モデルを用いることにより、冷却性評価モデルに対応する計算結果を短時間で得ることができる。解析装置１は、第１の個数よりも多い第２の個数のデータセットのそれぞれを解析モデルに入力しても、これらのデータセットに対応する評価結果を短時間で取得することができる。これにより、解析装置１は、図３に示すように、冷却性の評価結果を高精度に取得することができる。
【００２４】
［解析装置１の構成例］
続いて、解析装置１の構成について説明する。図４は、第１実施形態に係る解析装置１の構成を示す図である。
解析装置１は、入力部１１と、表示部１２と、通信部１３と、記憶部１４と、制御部１５とを備える。
【００２５】
入力部１１は、例えば、マウス又はキーボード等により構成されており、解析装置１のユーザから操作入力を受け付ける。
表示部１２は、例えば、液晶ディスプレイや有機ＥＬ（Electro-Luminescence）ディスプレイ等により構成される。表示部１２は、制御部１５の制御に応じて各種情報を表示する。
通信部１３は、例えば、解析装置１が他の装置と通信するための通信インタフェースである。
【００２６】
記憶部１４は、例えば、ＲＯＭ（Read Only Memory）及びＲＡＭ（Random Access Memory）等である。記憶部１４は、解析装置１を機能させるための各種プログラムを記憶する。例えば、記憶部１４は、解析装置１の制御部１５を、後述する第１データセット生成部１５１、解析部１５２、モデル生成部１５３、第２データセット生成部１５４、及び評価結果取得部１５５として機能させる高速炉デブリベッド冷却の解析プログラムを記憶する。
【００２７】
制御部１５は、例えばＣＰＵ（Central Processing Unit）である。制御部１５は、記憶部１４に記憶されている高速炉デブリベッド冷却の解析プログラムを実行することにより、第１データセット生成部１５１、解析部１５２、モデル生成部１５３、第２データセット生成部１５４、及び評価結果取得部１５５として機能する。
【００２８】
第１データセット生成部１５１は、高速炉において、原子炉容器内に設けられたコアキャッチャーに堆積した粒子状の燃料デブリの冷却性の解析に使用される複数の入力項目のそれぞれの入力データの組み合わせであるデータセットを第１の個数生成する。
【００２９】
複数の入力項目は、デブリベッドの冷却性に影響を与える複数のパラメータに対応しており、例えば、デブリベッドの初期温度、デブリベッドの高さ、デブリの粒子径、デブリベッドの空隙、上部冷却材温度、下部冷却材温度、スチール粒子の混入率である。複数の入力項目のうち、一部の入力項目の値は、固定値であってもよい。
【００３０】
第１データセット生成部１５１は、複数のデータセットに含まれる複数の入力項目のうち、値を変化させる入力項目について、当該入力項目の値が、当該入力項目が取り得る値の範囲において、一様分布となるように複数のデータセットを生成する。例えば、第１データセット生成部１５１は、ラテン超方格法に基づいてサンプリングを行うことにより、第１の個数のデータセットを生成する。なお、第１データセット生成部１５１は、ラテン超方格法とは異なるサンプリング手法を用いて第１の個数のデータセットを生成してもよい。
【００３１】
解析部１５２は、第１データセット生成部１５１が生成した第１の個数のデータセットのそれぞれについて、燃料デブリの冷却性の解析を行うことにより、燃料デブリの冷却性の評価結果を取得する。
【００３２】
第１実施形態において、解析部１５２は、第１の個数のデータセットのそれぞれについて、以下に示すように燃料デブリの冷却性を解析する。まず、解析部１５２は、高速炉において、原子炉容器内に設けられたコアキャッチャー１０１上に、データセットに含まれる入力項目「デブリベッドの高さ」が示す高さのデブリベッドが堆積している場合を想定し、当該デブリベッドを分割することにより、第１サイズの複数のメッシュを生成する。第１実施形態では、解析部１５２は、コアキャッチャー１０１上の一点に堆積しているデブリベッドを、デブリベッドの高さ方向に第１サイズにより分割することにより、第１サイズの複数のメッシュを生成する。なお、第１実施形態では、解析部１５２は、デブリベッドを、デブリベッドの高さ方向に第１サイズにより分割することとしているが、これに限らず、デブリベッドを、高さ方向、水平方向（幅方向、奥行方向）のうち、一以上の方向に分割してもよい。
【００３３】
続いて、解析部１５２は、生成した第１サイズの複数のメッシュのそれぞれについて、デブリベッドの未沸騰領域における等価熱伝導度と、デブリベッドの沸騰領域における等価熱伝導度よりも大きい、デブリベッドの沸騰領域における模擬的な等価熱伝導度とに基づいて各時間における非定常熱伝導方程式を解くことにより、デブリベッドの未沸騰領域の温度及び沸騰領域の範囲を過渡解析する。
【００３４】
ここで、非定常熱伝導方程式は、以下の式（２）に示されるものとする。式（２）中の（ρＣｐ）Ｂはデブリベッドの熱容量、ＴＢはデブリベッドの温度、ｔは時間、Ｑはデブリベッドの発熱密度、ｋｅｑは等価熱伝導度、ｚはデブリベッドの高さ方向の位置を示している。
【数２】
2020071156.tif 000004
【００３５】
図５は、第１実施形態に係る解析部１５２が非定常熱伝導方程式を解く場合に用いるデブリベッドの沸騰領域における模擬的な等価熱伝導度を示す図である。図５における実線及び一点鎖線は模擬的な等価熱伝導度を示しており、破線は、デブリベッドの等価熱伝導度を示している。図５に示すように、模擬的な等価熱伝導度は、デブリベッドの沸騰領域の開始温度から所定範囲内を示す範囲Ｒ１内において、最低の熱伝導度である。
【００３６】
また、模擬的な等価熱伝導度は、デブリベッドの沸騰領域の開始温度から所定範囲外の温度を示す範囲Ｒ２内の温度において、破線で示すデブリベッドの等価熱伝導度よりも高い熱伝導度である。デブリベッドの沸騰領域の開始温度から所定範囲外の温度における模擬的な等価熱伝導度は、例えば、同温度範囲におけるデブリベッドの等価熱伝導度のピーク値に対して数倍以上高い値を有している。また、模擬的な等価熱電導度は、一点鎖線で示すように、最低の熱伝導度から、破線で示されるデブリベッドの等価熱伝導度よりも高い熱伝導度に移行するまでの間に極端に不連続な値とならないように定義される。
【００３７】
図５に示すように、沸騰領域の広い範囲における模擬的な等価熱伝導度を、デブリベッドの等価熱伝導度に比べて大きい値とすることにより、メッシュサイズを大きくしてもメッシュ間で熱が十分に伝わるという前提で解析することができる。これにより、解析部１５２は、デブリベッドの温度及び水率の過渡解析を高速に行うことができる。
【００３８】
解析部１５２が各メッシュについて温度を算出した結果、沸騰点よりも低い温度となるメッシュに対応する位置のデブリベッドは未沸騰領域に属し、沸騰点以上の温度となるメッシュに対応する位置のデブリベッドは沸騰領域に属する。また、未沸騰領域の水率は１となり、沸騰領域の水率は１以下となる。
【００３９】
ここで、解析部１５２は、図５に示す模擬的な等価熱伝導度を用いてデブリベッドの温度及び水率を算出するので、沸騰領域の温度及び水率の精度が低くなってしまう。沸騰領域において、沸騰点からドライアウト（等価熱伝導度が再びほぼゼロとなる温度）までの温度差は数℃しかなく、その間の等価熱伝導度の平均値は非常に大きいことから、沸騰領域は、過渡状態においても定常的な挙動を示すと考えられる。そこで、解析部１５２は、沸騰領域の範囲に対して、図５において破線で示すデブリベッドの等価熱伝導度に基づく定常解析を行い、沸騰領域の温度及び水率の分布を解析する。
【００４０】
具体的には、解析部１５２は、解析された各時間の沸騰領域の範囲のうち、特定の時間における沸騰領域の範囲に対応するデブリベッドを第１サイズよりも小さい第２サイズの複数のメッシュに分割する。第１実施形態では、解析部１５２は、沸騰領域の範囲に対応するデブリベッドを高さ方向に分割することにより、第２サイズの複数のメッシュを生成する。なお、第１実施形態では、解析部１５２は、デブリベッドを、デブリベッドの高さ方向に第２サイズにより分割することとしているが、これに限らず、デブリベッドを、高さ方向、水平方向（幅方向、奥行方向）のうち、一以上の方向に分割してもよい。
【００４１】
ここで、特定の時間は、解析装置１が、解析結果をユーザが閲覧可能な情報として出力するタイミングに対応する時間である。例えば、解析部１５２は、第１時間間隔ごとに第１サイズに分割された各メッシュに対する解析を行うのに対し、解析部１５２は、第１時間よりも長い第２時間間隔ごとに、第２サイズに分割された各メッシュに対する解析を行う。
【００４２】
続いて、解析部１５２は、第２サイズの複数のメッシュのそれぞれについて、デブリベッドの沸騰領域における等価熱伝導度に基づく定常解析を行うことにより、特定の時間における沸騰領域の温度及び水率の分布を解析する。上述したとおり、沸騰領域は、過渡においても定常的な挙動を示すと考えられることから、式（２）の左辺のｄＴ／ｄｔがほぼ０となる。解析部１５２は、式（２）の左辺の値を０として式（２）を解くことにより、第２サイズの複数のメッシュのそれぞれに対応する温度及び水率を算出する。
【００４３】
解析部１５２は、所定期間における温度及び水率を算出した結果に基づいて、燃料デブリの冷却性の評価結果を特定する。第１実施形態では、燃料デブリの冷却性の評価結果は、例えば、デブリベッドが沸騰することなく冷却できたか、デブリベッドが沸騰を伴いながら冷却できたか、デブリベッドが冷却できなかったか（ドライアウトしたか）のいずれかを示す冷却判定結果である。なお、第１実施形態では、解析部１５２は、燃料デブリの冷却性の評価結果として、冷却判定結果を特定することとしているが、これに限らず、所定期間におけるデブリベッドのピーク温度や、ピーク最低水率を燃料デブリの冷却性の評価結果として特定してもよい。
【００４４】
解析部１５２は、上述のデブリベッドを第１サイズの複数のメッシュを生成してから分類するまでの処理を、複数のデータセットのそれぞれについて行うことにより、複数のデータセットのそれぞれに対応する燃料デブリの冷却性の評価結果を取得する。
【００４５】
なお、解析部１５２は、上述した処理に従って燃料デブリの冷却性を解析するが、上述した処理とは異なる処理により燃料デブリの冷却性を解析してもよい。例えば、式（１）に示すデブリベッドの等価熱伝導度ｋｅｑを用いた非定常熱伝導方程式を解くことにより燃料デブリの冷却性を解析したり、上述した処理よりも高速な手法に基づいて燃料デブリの冷却性を解析したりしてもよい。
【００４６】
モデル生成部１５３は、第１の個数のデータセットのそれぞれと、当該データセットに対応する燃料デブリの冷却性の評価結果との組み合わせを教師データとすることにより、第１の個数の教師データを生成する。そして、モデル生成部１５３は、第１の個数の教師データに基づいて機械学習を行うことにより、データセットの入力に対して評価結果を出力する解析モデルを生成する。例えば、モデル生成部１５３は、所定の層数及びノード数のニューラルネットワークについて、第１の個数の教師データに基づいて機械学習を行うことにより解析モデルを生成する。なお、モデル生成部１５３は、ニューラルネットワークを用いた機械学習とは異なる手法により機械学習を行うことにより解析モデルを生成してもよい。
【００４７】
評価結果取得部１５５は、任意のデータセットを解析モデルに入力することにより、当該データセットに対応する評価結果を解析モデルから取得する。
例えば、まず、第２データセット生成部１５４は、データセットを、第１の個数よりも多い第２の個数生成する。第２データセット生成部１５４は、複数のデータセットに含まれる複数の入力項目のうち、値を変化させる入力項目について、当該入力項目の値が、当該入力項目が取り得る値の範囲において、全ての組み合わせを網羅するように複数のデータセットを生成する。
【００４８】
評価結果取得部１５５は、第２データセット生成部１５４が生成した第２の個数のデータセットのそれぞれを解析モデルに入力し、当該データセットのそれぞれに対応する評価結果を解析モデルから取得する。
【００４９】
［検証結果］
続いて、従来の手法である非定常熱伝導方程式を解くことによる冷却性の評価結果と、第１実施形態に係る解析モデルによる冷却性の評価結果との比較結果について説明する。図６は、従来の手法による冷却性の評価結果と、第１実施形態に係る解析モデルによる冷却性の評価結果との比較結果を示す図である。
【００５０】
図６（ａ）は、デブリベッドの高さを１８ｃｍとした場合のデブリベッドの冷却性の評価結果を示す図である。図６（ｂ）は、デブリベッドの高さを２０ｃｍとした場合のデブリベッドの冷却性の評価結果を示す図である。図６（ａ）、（ｂ）では、第１実施形態に係る解析モデルによる冷却性の複数種類の評価結果を、領域Ａ、領域Ｂ及び領域Ｃとして示している。領域Ａは、沸騰することなく冷却できたことを示す領域であり、領域Ｂは、沸騰を伴いながら冷却できたことを示す領域であり、領域Ｃは、冷却できなかった（ドライアウトした）ことを示す領域である。また、図６（ａ）、（ｂ）における〇は、沸騰することなく冷却できたことを示す解析結果に対応し、△は、沸騰を伴いながら冷却できたことを示す解析結果に対応し、×は、冷却できなかった（ドライアウトした）ことを示す冷却結果に対応している。図６（ａ）、（ｂ）のいずれにおいても、従来の手法による冷却性の評価結果の大部分が、第１実施形態に係る解析モデルの冷却性の評価結果と一致していることが確認できる。
【００５１】
［計算時間の比較］
続いて、従来の手法による冷却性の評価結果の算出時間と、第１実施形態に係る解析モデルによる冷却性の評価結果との算出時間とについて説明する。ここで、従来の手法として、第１実施形態に示す解析部１５２が行う解析手法を用いることとした。同等の性能のコンピュータを用いて同条件にて冷却性の評価を行った場合に、従来の手法において約１分かかる評価を、第１実施形態に係る解析モデルによりマイクロ秒オーダーで評価することができた。したがって、解析モデルを使用することにより、冷却性の評価結果を短時間で得ることが可能になった。この結果、冷却性の評価結果を瞬時に大量に取得することができるため、従来の手法において行われていたような、離散的な計算結果から入力値と結果を推測しながらの繰り返し作業が不要となり、冷却性評価を短時間で容易に検証することが可能となった。
【００５２】
［冷却性の評価結果の可視化例］
続いて、冷却性の評価結果を可視化した例について説明する。図７は、第１実施形態に係る解析モデルを用いて取得した冷却性の評価結果に基づいて、３つの入力項目と、冷却性の評価結果との関係を示す三次元マップを作成した例を示す図である。図７における領域ａは、沸騰することなく冷却できたことを示す領域であり、領域ｂは、沸騰を伴いながら冷却できたことを示す領域であり、領域ｃは、冷却できなかった（ドライアウトした）ことを示す領域である。図７に示す３つの入力項目は、上部冷却材温度、下部冷却材温度、及びデブリベッドの高さである。第１実施形態に係る解析モデルを用いることにより、図７に示すように、各入力項目が冷却性にどのように影響するのかを容易に把握することができる。
【００５３】
［第１実施形態における効果］
以上のとおり、第１実施形態に係る解析装置１は、原子炉容器内に設けられたコアキャッチャー１０１に堆積した粒子状の燃料デブリの冷却性の解析に使用される複数の入力項目のそれぞれの入力データの組み合わせであるデータセットを第１の個数生成し、第１の個数のデータセットのそれぞれに基づいて、燃料デブリの冷却性の解析を行うことにより、燃料デブリの冷却性の評価結果を取得する。解析装置１は、第１の個数のデータセットのそれぞれと、当該データセットに対応する評価結果との組み合わせを教師データとし、当該教師データに基づいて機械学習を行うことにより、データセットの入力に対して評価結果を出力する解析モデルを生成する。そして、解析装置１は、任意のデータセットを解析モデルに入力し、当該データセットに対応する評価結果を解析モデルから取得する。
【００５４】
解析モデルは、データセットの入力に対して短時間で評価結果を出力することができるので、解析装置１は、解析モデルを使用して評価結果を取得することにより、非定常熱伝導方程式を解く従来の冷却性評価モデルのみを用いて冷却性を評価する場合に比べて、冷却性評価モデルに対応する計算結果を短時間で得ることができる。
【００５５】
＜第２実施形態＞
［境界領域に対応するデータセット及び解析結果に基づいて解析結果を修正する］
続いて、第２実施形態に係る解析装置１について説明する。解析モデルの生成にあたり、重要な教師データは、判定結果が変化する境界付近のデータである。このため、当該境界付近の教師データを重点的に生成することにより、解析モデルの精度を向上させることができる。そこで、第２実施形態に係る解析装置１は、境界領域に対応するデータセット及び解析結果に基づいて解析モデルを修正する点で第１実施形態と異なる。以下、第２実施形態に係る解析装置１について説明する。なお、第１実施形態と同じ部分については適宜説明を省略する。
【００５６】
図８は、第２実施形態に係る解析装置１の構成を示す図である。図８に示すように、第２実施形態に係る解析装置１の制御部１５は、境界領域特定部１５６と、第３データセット生成部１５７とをさらに備える。
【００５７】
第１データセット生成部１５１は、第１実施形態と同様に、燃料デブリの冷却性の解析に使用される複数の入力項目のそれぞれの入力データの組み合わせであるデータセットを第１の個数生成する。
【００５８】
解析部１５２は、第１の個数のデータセットのそれぞれについて、燃料デブリの冷却性の解析を行うことにより、燃料デブリの冷却性の評価結果を取得する。モデル生成部１５３は、第１実施形態と同様に、第１の個数のデータセットのそれぞれと、当該データセットに対応する評価結果との組み合わせを教師データとし、当該教師データに基づいて機械学習を行うことにより解析モデルを生成する。第２データセット生成部１５４は、第２の個数のデータセットを生成し、評価結果取得部１５５は、第２の個数のデータセットのそれぞれを解析モデルに入力し、当該データセットに対応する評価結果を解析モデルから取得する。
【００５９】
境界領域特定部１５６は、評価結果取得部１５５が取得した燃料デブリの冷却性の評価結果に基づいて、異なる評価結果となる境界を含む境界領域を特定する。例えば、境界領域特定部１５６は、所定の入力項目に対応する入力値について、評価結果が変化する２つ入力値を特定し、当該２つの入力値のいずれか一方から所定範囲を、当該所定の入力項目の境界領域と特定する。境界領域特定部１５６は、複数の入力項目のそれぞれについて境界領域を特定する。
【００６０】
第３データセット生成部１５７は、境界領域特定部１５６が特定した境界領域において、第１データセット生成部１５１によるデータセットの生成密度よりも高い密度でデータセットを生成する。
【００６１】
解析部１５２は、第３データセット生成部１５７が生成したデータセットに基づいて、第１実施形態と同様に燃料デブリの冷却性の解析を行うことにより、燃料デブリの冷却性の評価結果を取得する。
【００６２】
モデル生成部１５３は、第３データセット生成部１５７が生成したデータセットと、当該データセットに対応する評価結果との組み合わせを新たな教師データとする。そして、モデル生成部１５３は、当該教師データに基づいて機械学習を行うことにより解析モデルを修正する。このようにすることで、境界付近の教師データにより解析モデルが修正されるので、解析装置１は、解析モデルの精度を向上させることができる。
【００６３】
なお、モデル生成部１５３は、第３データセット生成部１５７が生成したデータセットと、当該データセットに対応する評価結果とを組み合わせた教師データに基づいて機械学習を行うことにより解析モデルを修正することとしたが、これに限らない。モデル生成部１５３は、第３データセット生成部１５７が生成したデータセットと、当該データセットに対応する評価結果とを組み合わせた教師データに基づいて、既に生成した解析モデルよりもニューラルネットワークにおける層数及びノード数の少なくともいずれかを多くした機械学習を行うことにより第２解析モデルを生成してもよい。
【００６４】
この場合において、モデル生成部１５３は、第１の個数の教師データと、第３データセット生成部１５７が生成したデータセットと、当該データセットに対応する評価結果とを組み合わせた教師データとに基づいて、第２解析モデルを生成してもよい。ニューラルネットワークにおける層数及びノード数の少なくともいずれかを多くすることにより、第２解析モデルを生成するまでにかかる時間が増加するものの、解析装置１は、モデルの精度を向上させることができる。
【００６５】
第２実施形態に係る評価結果取得部１５５は、第２の個数のデータセットのそれぞれを修正後の解析モデルに入力し、当該データセットに対応する評価結果を解析モデルから取得する。なお、評価結果取得部１５５は、第２解析モデルを生成した場合、第２の個数のデータセットのそれぞれを第２解析モデルに入力し、当該データセットに対応する評価結果を第２解析モデルから取得する。
【００６６】
［第２実施形態における効果］
以上のとおり、第２実施形態に係る解析装置１は、境界付近の教師データにより解析モデルを修正するので、解析モデルの精度を高めることができる。そして、解析装置１は、第２の個数のデータセットのそれぞれを修正後の解析モデルに入力し、当該データセットに対応する評価結果を解析モデルから取得するので、冷却性の評価を精度良く行うことができる。
【００６７】
なお、第２実施形態に係る第１の個数は、第１実施形態に係る第１の個数よりも少ない個数（例えば、第３の個数）であってもよい。第１の個数が第１実施形態に係る第１の個数よりも少ない場合、解析モデルの精度は、第１実施形態に係る解析モデルの精度よりも低くなる。しかしながら、第２実施形態に係る解析装置１は、解析モデルを生成した後に、境界付近の教師データにより解析モデルを修正し、解析モデルの精度を向上させることができる。よって、解析装置１は、第１の個数の数を少なくしても、解析モデルの精度を維持することができる。
【００６８】
＜第３実施形態＞
［第１の個数のデータセットの解析結果に基づいて境界領域を特定する］
続いて、第３実施形態に係る解析装置１について説明する。第２実施形態に係る解析装置１が、評価結果取得部１５５が取得した燃料デブリの冷却性の評価結果に基づいて境界領域を特定したのに対して、第３実施形態に係る解析装置１は、第１の個数のデータセットの解析結果に基づいて境界領域を特定する点で第２実施形態と異なる。
【００６９】
図９は、第３実施形態に係る解析装置１の構成を示す図である。第３実施形態に係る解析装置１は、第２実施形態に係る解析装置１の構成と同じであるが、図９に示すように、処理の順序が、第２実施形態に係る解析装置１に係る処理の順序と異なる。
【００７０】
第３実施形態に係る境界領域特定部１５６は、解析部１５２において、第１の個数のデータセットに基づく燃料デブリの冷却性の解析を行うことにより取得された燃料デブリの冷却性の評価結果に基づいて、異なる評価結果となる境界を含む境界領域を特定する。
【００７１】
第３データセット生成部１５７は、境界領域特定部１５６が特定した境界領域において、第１データセット生成部１５１によるデータセットの生成密度よりも高い密度でデータセットを生成する。
【００７２】
第３実施形態に係る解析部１５２は、第２実施形態と同様に、第３データセット生成部１５７が生成したデータセットに基づいて、第１実施形態と同様に燃料デブリの冷却性の解析を行うことにより、燃料デブリの冷却性の評価結果を取得する。
【００７３】
第３実施形態に係るモデル生成部１５３は、第１の個数のデータセットのそれぞれと、当該データセットに対応する評価結果との組み合わせを教師データとするとともに、第３データセット生成部１５７が生成したデータセットと、当該データセットに対応する評価結果との組み合わせを新たな教師データとする。そして、モデル生成部１５３は、これらの教師データに基づいて機械学習を行うことにより解析モデルを生成する。
【００７４】
［第３実施形態における効果］
以上のとおり、第３実施形態に係る解析装置１は、境界領域付近の教師データに基づいて機械学習を行うことにより学習が強化された解析モデルを生成することができるので、第１実施形態に係る解析モデルに比べて精度を向上させることができる。また、第３実施形態に係る解析装置１は、第２実施形態に係る解析装置１のように、解析モデルを修正する処理を行わないので、第２実施形態に比べて短い時間で解析モデルを作成することができる。
【００７５】
以上、本発明を実施の形態を用いて説明したが、本発明の技術的範囲は上記実施の形態に記載の範囲には限定されず、その要旨の範囲内で種々の変形及び変更が可能である。また、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７６】
１・・・高速炉デブリベッド冷却の解析装置、１１・・・入力部、１２・・・表示部、１３・・・通信部、１４・・・記憶部、１５・・・制御部、１５１・・・第１データセット生成部、１５２・・・解析部、１５３・・・モデル生成部、１５４・・・第２データセット生成部、１５５・・・評価結果取得部、１５６・・・境界領域特定部、１５７・・・第３データセット生成部、１００・・・原子炉容器、１０１・・・コアキャッチャー、１０２・・・デブリベッド
【図１】
2020071156.tif 000005
【図２】
2020071156.tif 000006
【図３】
2020071156.tif 000007
【図４】
2020071156.tif 000008
【図５】
2020071156.tif 000009
【図６】
2020071156.tif 000010
【図７】
2020071156.tif 000011
【図８】
2020071156.tif 000012
【図９】
2020071156.tif 000013